(57)【要約】【課題】２次電池の点検精度の向上を図る。【解決手段】照明装置Ａ１の制御部７には、充電検出部８、電圧検出部９、点灯検出部１０の各検出結果から２次電池１やランプ２の異常を総合的に判断する判断部１１が設けてある。而して、３ヶ月に１回行われる定期点検とは別に２次電池１の状態を常時監視し、判断部１１では定期点検の点検結果と監視結果を総合的に判断して２次電池１並びにランプ２の異常を判断している。そのため、従来のように定期点検結果のみならず、監視結果と合わせて総合的に判断しているから、２次電池の点検精度の向上が図れる。【選択図】　　　　図１
2004119151.tif 000002
【特許請求の範囲】
【請求項１】
光源となるランプと、ランプに電力供給する２次電池と、外部の常用電源から電力供給を受けて２次電池を充電する充電手段と、少なくとも常用電源が停電したときに２次電池からの電力供給でランプを点灯させる点灯手段と、点灯手段により所定の点検時間以上強制的にランプを点灯させて２次電池の点検を行う点検手段と、少なくとも２次電池の充電状態を含む１乃至複数の動作状態を常時監視する監視手段と、点検手段による点検結果と監視手段による監視結果を総合的に判断して２次電池並びにランプの異常を検出する異常検出手段とを備えたことを特徴とする照明装置。
【請求項２】
点検手段は、ランプの点灯を検出する点灯検出部と、２次電池の電圧を検出する電圧検出部とを有し、監視手段は、充電手段による２次電池の充電の有無を検出する充電検出部を有することを特徴とする請求項１記載の照明装置。
【請求項３】
常用電源からの電力供給でランプを点灯させる常用点灯手段を備え、監視手段は、常用点灯手段によるランプの点灯・不点灯を検出する点灯検出部を有することを特徴とする請求項２記載の照明装置。
【請求項４】
常用電源が停電後に復電してからの経過時間をカウントする時間カウント手段を備え、点検手段は、時間カウント手段によってカウントされる経過時間が所定時間に達するまでは点検を開始しないことを特徴とする請求項１記載の照明装置。
【請求項５】
点検手段は、点検時間が互いに異なる複数の点検モードを有し、異常検出手段は、点検時間が相対的に長い点検モードの点検結果を点検時間が相対的に短い点検モードの点検結果よりも優先することを特徴とする請求項１記載の照明装置。
【請求項６】
少なくとも、定期的に行う定期点検モードの他に施工直後の初期に行う初期点検モード又は定期点検モードよりも点検時間が短く且つ頻度の高い予備定期点検モードの少なくとも何れか一方を点検手段が有するか、あるいは２次電池の累積充電時間、点灯手段の累積動作時間、充電手段の累積動作時間、ランプの累積点灯時間のうちの少なくとも何れかを監視手段が監視することを特徴とする請求項１記載の照明装置。
【請求項７】
点検手段は、点検の際に２次電池の電池電圧がメモリ効果を生じない程度に低下するまで放電させることを特徴とする請求項１記載の照明装置。
【請求項８】
異常検出手段は、点検手段による点検時間の短い点検モード又は予備定期点検モードにおいて充電時と放電時の電圧降下率が所定のしきい値以上であるときを２次電池の異常とすることを特徴とする請求項６記載の照明装置。
【請求項９】
点検手段は２次電池の電圧を検出する電圧検出部を有し、監視手段は充電手段による２次電池の充電の有無を検出する充電検出部を有し、異常検出手段は電圧検出部により検出される電池電圧と充電検出部で検出される充電の有無とから２次電池が交換されたか否かを判断し、２次電池が交換されたと判断した場合には少なくとも２次電池に関するそれまでの点検結果並びに監視結果を初期化することを特徴とする請求項８記載の照明装置。
【請求項１０】
異常検出手段は、２次電池の周囲温度を検出する温度検出部を有し、温度検出部で検出する周囲温度に応じて２次電池の放電特性を補正し、最も温度条件が悪い場合を想定して２次電池の異常を検出することを特徴とする請求項１記載の照明装置。
【請求項１１】
２次電池は互いに並列接続される複数の電池セルからなり、点検手段は、点検時に各電池セルを個別に点灯手段と接続して放電させることを特徴とする請求項１記載の照明装置。
【請求項１２】
請求項１〜１１の何れかに記載された複数の照明装置と、各照明装置との間でデータの授受を行う制御装置とを備え、制御装置は、照明装置の点検結果又は監視結果のデータを取得して保存し、保存した点検結果又は監視結果の履歴に基づいて照明装置における異常の有無を判断する判断手段を具備したことを特徴とする照明システム。
【請求項１３】
請求項１〜１１の何れかに記載された複数の照明装置と、各照明装置との間でデータの授受を行う制御装置と、制御装置との間でデータの授受を行う管理センタとを備え、ランプや２次電池を含む構成部品の交換に関する情報を記憶する記憶手段を各照明装置に具備し、制御装置又は制御装置を経由した管理センタにて照明装置の記憶手段に記憶した前記情報を取得することを特徴とする照明システム。
【請求項１４】
請求項１〜１１の何れかに記載された複数の照明装置と、各照明装置との間でデータの授受を行う制御装置とを備え、制御装置との間で通信するための通信手段を各照明装置に具備するとともに、常用電源の停電時には２次電池から通信手段への電力供給を行わないことを特徴とする照明システム。
【請求項１５】
光源となるランプ、ランプに電力供給する２次電池、外部の常用電源から電力供給を受けて２次電池を充電する充電手段、少なくとも常用電源が停電したときに２次電池からの電力供給でランプを点灯させる点灯手段、点灯手段により所定の点検時間以上強制的にランプを点灯させて２次電池の点検を行う点検手段、少なくとも２次電池の充電状態を含む１乃至複数の動作状態を常時監視する監視手段、点検結果や監視結果を含むデータを信号線を介して授受する通信手段を具備する１乃至複数の照明装置と、各照明装置と信号線を介して接続される制御装置とを備え、制御装置は、信号線を介して各照明装置から受信する点検結果と監視結果を総合的に判断して２次電池並びにランプの異常を検出する異常検出手段を具備することを特徴とする照明システム。
【発明の詳細な説明】
【０００１】
【発明の属する技術分野】
本発明は、誘導灯や非常灯のように常用の電源が停電したときに２次電池などの非常用の電源でランプを点灯する照明装置並びに照明システムに関するものである。
【０００２】
【従来の技術】
誘導灯や非常灯のような非常用の照明装置は、火災や地震等による停電時に２次電池からなる非常用電源でランプを点灯（非常点灯）させるものであり、２次電池による非常点灯が正常に行われるか否かの点検を定期的に行うように消防庁告示及び建築基準法等で義務づけられている。
【０００３】
通常、非常用の照明装置には常用電源（商用電源）からランプへの電力供給を強制的に停止して擬似的な停電状態とするためのスイッチが設けられており、点検者が装置本体から垂下されている引き紐を操作して上記スイッチをオンさせることによって、２次電池から電力供給してランプを非常点灯させることで２次電池の点検が行われている。ここで、消防庁や建築基準法の規定では、２次電池からの電力供給により誘導灯の場合には２０分間又は６０分間、非常灯の場合には３０分間、それぞれランプを有効に非常点灯させなければならないことになっており、通常、点検者は上記引き紐に重りを吊り下げて上記スイッチをオンとし、上記規定時間内にランプが有効に非常点灯可能か否かを監視する必要がある。しかも、一般に誘導灯や非常灯は建物内の複数箇所に設置されているから、それら複数の照明装置を一つ一つ見て回って点検しなければならないから、点検者にとって非常に手間の掛かる作業であった。
【０００４】
そこで従来より、上述のような２次電池の点検作業の自動化や省力化を図った照明装置が種々提案されている。例えば、特許文献１に記載されている非常用照明装置は、商用電源から電力を供給してランプを点灯する点灯手段と、商用電源に接続されて２次電池を充電する充電手段と、商用電源及び２次電池からランプへの電力供給を制御するとともに２次電池の点検シーケンス手段を有する制御手段と、点検スイッチが所定時間以上オン動作したときに点検シーケンス手段の動作を開始するタイマ手段と、点検シーケンス開始後に所定の点検時間とランプの点灯時間を比較する比較手段と、比較手段による比較結果（点検結果）を表示する表示手段とを備えている。すなわち、点検者は短時間だけ点検スイッチをオンすれば、点検シーケンス手段によって点検作業の終了が判断され、２次電池に異常があれば表示手段で表示するから点検作業の省力化が図れるものである。
【０００５】
また、特許文献２には、防災用のランプ、２次電池、常時は商用電源からの電力供給にてランプを点灯させ、停電時には２次電池からの電力供給でランプを点灯させる交直兼用点灯装置、外部から監視・制御を行うための送受信部、並びに点検スイッチを具備する複数台の防災照明装置と、各防災照明装置の非常時及び常時の動作の監視・制御を一括して行う制御装置とを備え、制御装置からの点検信号を受けた場合にのみ、防災照明装置から制御装置へ点検結果を送信するようにした照明システムが記載されている。すなわち、各防災照明装置にて個々にランプ交換の要否を判断する必要が無くなり、制御装置にてランプ交換の時期を一括して管理することが可能となる。また、複数台の防災照明装置のうちから対象となる防災照明装置を選別して個別に点検を行うことができるから、時間をずらして点検を行うことが可能となる。
【０００６】
さらに、特許文献３には、複数の個別非常照明ユニットと、中央監視制御ユニットと、両者を結ぶ通信システムとからなり、通信システムがループ状に接続された各個別非常照明ユニット及び中央監視制御ユニットに具備された送受信器ユニットを含み、各個別非常照明ユニットの番地付けが容易に行えるとともに過去に行われた２次電池の診断結果を記憶し、個別非常照明ユニットの動作履歴を知ることが可能な照明システムが記載されている。
【０００７】
なお、２次電池の寿命に影響を与える要因としては、デンドライト（樹脂状晶）による短絡と内部抵抗の上昇が挙げられる。前者では、充放電サイクルの繰り返しによって負極表面のデンドライトが成長し、正極と負極を隔絶するセパレータを貫通して極間を短絡してしまうのであって、３ヶ月程度の定期的な点検では点検時に正常であってもその直後に短絡が生じて寿命となってしまう場合もある。また、後者の内部抵抗の上昇は徐々に進行する場合があり、これらは充電状態で判断することが不可能であるから放電を行わないと判断することができない。つまり、上述のような要因による２次電池の劣化を検出することは３ヶ月に一度程度の点検では非常に難しいと考えられる。
【０００８】
【特許文献１】
特開平８−１８５９８７号公報（第４頁−第５頁、第１図）
【特許文献２】
特開平８−１８０９８０号公報（第２頁−第３頁、第１図）
【特許文献３】
特開平３−２２８４９７号公報（第２頁−第３頁、第１０図）
【０００９】
【発明が解決しようとする課題】
ところで、特許文献１に記載のものでは、点検シーケンスによって点検の終了が自動的に判断されるので点検者が点検時間を計測する手間が省略できて点検作業の省力化が図れているが、点検者が建物内に点在する非常用の照明装置の点検スイッチを操作して回る手間は残っている。これに対して特許文献２に記載のものでは、制御装置から各照明装置に点検信号を送信することで自動的に点検を行わせることはできるが、単にランプ電流の有無を検出することでランプの点灯状態を判断しているだけであるから、ランプが充分な照度の点灯を維持できていない状態（ランプ不良の状態）では充分な電力供給能力のない２次電池でも正常と誤判断してしまう虞があった。また、特許文献３においては、制御ユニットから診断開始の指令を受け取った個別照明ユニットが２次電池でランプを点灯させると同時に、電池電圧、光出力、消費電流を監視し、電池電圧が下降すると時間、電圧、電流を記録しているが、それらの記録に基づいて２次電池の状態を高い精度で判断しようとすれば人（管理者）がその判断を行わなければならず、点検作業の省略化が不十分であった。
【００１０】
本発明は上記事情に鑑みて為されたものであり、その目的は、２次電池の点検精度の向上が図れる照明装置並びに照明システムを提供することにある。
【００１１】
【課題を解決するための手段】
請求項１の発明は、上記目的を達成するために、光源となるランプと、ランプに電力供給する２次電池と、外部の常用電源から電力供給を受けて２次電池を充電する充電手段と、少なくとも常用電源が停電したときに２次電池からの電力供給でランプを点灯させる点灯手段と、点灯手段により所定の点検時間以上強制的にランプを点灯させて２次電池の点検を行う点検手段と、少なくとも２次電池の充電状態を含む１乃至複数の動作状態を常時監視する監視手段と、点検手段による点検結果と監視手段による監視結果を総合的に判断して２次電池並びにランプの異常を検出する異常検出手段とを備えたことを特徴とする。
【００１２】
請求項２の発明は、請求項１の発明において、点検手段は、ランプの点灯を検出する点灯検出部と、２次電池の電圧を検出する電圧検出部とを有し、監視手段は、充電手段による２次電池の充電の有無を検出する充電検出部を有することを特徴とする。
【００１３】
請求項３の発明は、請求項２の発明において、常用電源からの電力供給でランプを点灯させる常用点灯手段を備え、監視手段は、常用点灯手段によるランプの点灯・不点灯を検出する点灯検出部を有することを特徴とする。
【００１４】
請求項４の発明は、請求項１の発明において、常用電源が停電後に復電してからの経過時間をカウントする時間カウント手段を備え、点検手段は、時間カウント手段によってカウントされる経過時間が所定時間に達するまでは点検を開始しないことを特徴とする。
【００１５】
請求項５の発明は、請求項１の発明において、点検手段は、点検時間が互いに異なる複数の点検モードを有し、異常検出手段は、点検時間が相対的に長い点検モードの点検結果を点検時間が相対的に短い点検モードの点検結果よりも優先することを特徴とする。
【００１６】
請求項６の発明は、請求項１の発明において、少なくとも、定期的に行う定期点検モードの他に施工直後の初期に行う初期点検モード又は定期点検モードよりも点検時間が短く且つ頻度の高い予備定期点検モードの少なくとも何れか一方を点検手段が有するか、あるいは２次電池の累積充電時間、点灯手段の累積動作時間、充電手段の累積動作時間、ランプの累積点灯時間のうちの少なくとも何れかを監視手段が監視することを特徴とする。
【００１７】
請求項７の発明は、請求項１の発明において、点検手段は、点検の際に２次電池の電池電圧がメモリ効果を生じない程度に低下するまで放電させることを特徴とする。
【００１８】
請求項８の発明は、請求項６の発明において、異常検出手段は、点検手段による点検時間の短い点検モード又は予備定期点検モードにおいて充電時と放電時の電圧降下率が所定のしきい値以上であるときを２次電池の異常とすることを特徴とする。
【００１９】
請求項９の発明は、請求項８の発明において、点検手段は２次電池の電圧を検出する電圧検出部を有し、監視手段は充電手段による２次電池の充電の有無を検出する充電検出部を有し、異常検出手段は電圧検出部により検出される電池電圧と充電検出部で検出される充電の有無とから２次電池が交換されたか否かを判断し、２次電池が交換されたと判断した場合には少なくとも２次電池に関するそれまでの点検結果並びに監視結果を初期化することを特徴とする。
【００２０】
請求項１０の発明は、請求項１の発明において、異常検出手段は、２次電池の周囲温度を検出する温度検出部を有し、温度検出部で検出する周囲温度に応じて２次電池の放電特性を補正し、最も温度条件が悪い場合を想定して２次電池の異常を検出することを特徴とする。
【００２１】
請求項１１の発明は、請求項１の発明において、２次電池は互いに並列接続される複数の電池セルからなり、点検手段は、点検時に各電池セルを個別に点灯手段と接続して放電させることを特徴とする。
【００２２】
請求項１２の発明は、上記目的を達成するために、請求項１〜１１の何れかに記載された複数の照明装置と、各照明装置との間でデータの授受を行う制御装置とを備え、制御装置は、照明装置の点検結果又は監視結果のデータを取得して保存し、保存した点検結果又は監視結果の履歴に基づいて照明装置における異常の有無を判断する判断手段を具備したことを特徴とする。
【００２３】
請求項１３の発明は、上記目的を達成するために、請求項１〜１１の何れかに記載された複数の照明装置と、各照明装置との間でデータの授受を行う制御装置と、制御装置との間でデータの授受を行う管理センタとを備え、ランプや２次電池を含む構成部品の交換に関する情報を記憶する記憶手段を各照明装置に具備し、制御装置又は制御装置を経由した管理センタにて照明装置の記憶手段に記憶した前記情報を取得することを特徴とする。
【００２４】
請求項１４の発明は、上記目的を達成するために、請求項１〜１１の何れかに記載された複数の照明装置と、各照明装置との間でデータの授受を行う制御装置とを備え、制御装置との間で通信するための通信手段を各照明装置に具備するとともに、常用電源の停電時には２次電池から通信手段への電力供給を行わないことを特徴とする。
【００２５】
請求項１５の発明は、上記目的を達成するために、光源となるランプ、ランプに電力供給する２次電池、外部の常用電源から電力供給を受けて２次電池を充電する充電手段、少なくとも常用電源が停電したときに２次電池からの電力供給でランプを点灯させる点灯手段、点灯手段により所定の点検時間以上強制的にランプを点灯させて２次電池の点検を行う点検手段、少なくとも２次電池の充電状態を含む１乃至複数の動作状態を常時監視する監視手段、点検結果や監視結果を含むデータを信号線を介して授受する通信手段を具備する１乃至複数の照明装置と、各照明装置と信号線を介して接続される制御装置とを備え、制御装置は、信号線を介して各照明装置から受信する点検結果と監視結果を総合的に判断して２次電池並びにランプの異常を検出する異常検出手段を具備することを特徴とする。
【００２６】
【発明の実施の形態】
（実施形態１）
本実施形態の照明装置Ａ１は、図１に示すように非常用電源となる２次電池１と、白熱ランプや放電ランプなどからなるランプ２と、常用電源（商用電源ＡＣ）に接続された給電経路を開閉する点検スイッチ３と、点検スイッチ３を介して給電経路に接続され、商用電源ＡＣから供給される交流を降圧し安定化して所望の直流を得る電源回路部４と、電源回路部４から出力される直流電力で２次電池１を充電する充電部５と、２次電池１からの電力供給でランプ２を点灯させる点灯回路部６と、２次電池１から点灯回路部６への給電路を開閉するスイッチ素子Ｑと、商用電源ＡＣの停電、復電を検出してスイッチ素子Ｑをオン、オフするとともに２次電池１やランプ２などの異常を検出する制御部７と、異常検出を報知するための表示灯１３とを備え、常時は商用電源ＡＣから電力供給を受けて２次電池１を充電し、商用電源ＡＣの停電時に２次電池１からの電力供給で非常灯であるランプ２を点灯するものである。
【００２７】
制御部７はタイマ機能を内蔵したマイクロコンピュータを主構成要素とし、充電部５から２次電池１へ流れる充電電流の有無を検出する充電検出部８と、２次電池１の電圧（以下、「電池電圧」という）を検出する電圧検出部９と、点灯回路部６からランプ２に流れる電流（ランプ電流）を計測してランプ２の点灯、不点灯を検出する点灯検出部１０と、各検出部８，９，１０の検出結果から２次電池１やランプ２の異常を総合的に判断する判断部１１と、ＥＥＰＲＯＭ等の不揮発性メモリからなる記憶部１２とを具備している。また、制御部７は点灯回路部６により所定の点検時間以上強制的にランプ２を点灯させて２次電池１の点検を行う点検機能と、２次電池１の充電状態を常時監視する監視機能とを有している。すなわち、本実施形態では制御部７で点検手段並びに監視手段を構成し、判断部１１で異常検出手段を構成している。なお、表示灯１２は発光ダイオードからなり、判断部１１により駆動されて発光する。
【００２８】
而して、商用電源ＡＣから電力供給を受けているとき（常時）には、充電部５により２次電池１が充電されるとともに、制御部７によりスイッチ素子Ｑがオフされてランプ２を消灯させているが、停電により商用電源ＡＣからの電力供給が停止したとき（非常時）には、充電検出部８にて充電電流が検出されなくなることで停電が検知され、制御部７によりスイッチ素子Ｑがオンされて２次電池１から点灯回路部６への電力供給が可能となってランプ２を点灯させるものである。そして、復電により商用電源ＡＣからの電力供給が再開されれば、充電検出部８にて充電電流が検出されることで復電が検知され、制御部７によりスイッチ素子Ｑがオフされて２次電池１から点灯回路部６への電力供給が停止してランプ２を消灯させる。
【００２９】
ところで、本実施形態の照明装置Ａ１においても、従来技術で説明したように消防庁告示及び建築基準法等で義務づけられている点検（２次電池１による非常点灯が正常に行われるか否かの点検）を定期的（例えば、３ヶ月に１回）に行う必要がある。したがって、この定期的な点検（以下、「定期点検」と呼ぶ）における制御部７の動作について図２のフローチャートを参照して説明する。
【００３０】
まず、点検スイッチ３がオフ操作されることで商用電源ＡＣからの電力供給が停止して強制的に停電状態にされると、充電検出部８の検出結果から停電を検出した判断部１１が、記憶部１２に記憶されている常用時での２次電池１の監視結果（後述する）が正常か否かを判断する（ステップ１）。ここで常用時の２次電池１の監視結果が正常でなければ、判断部１１は２次電池１の異常と判断し（ステップ２）、表示灯１３を点灯あるいは点滅させて異常発生を報知するとともに、その点検結果（２次電池１に異常発生）を記憶部１２に記憶した後（ステップ３）、２次電池１の放電を終了して点検を中止する（ステップ４）。
【００３１】
一方、常用時の２次電池１の監視結果が正常であれば、制御部７はスイッチ素子Ｑをオンして２次電池１の放電を開始し（ステップ５）、点灯検出部１０の検出結果からランプ２の点灯、不点灯を判別し（ステップ６）、不点灯であればランプ２の異常と判断する（ステップ７）。そして、表示灯１３を点灯あるいは点滅させて異常発生を報知するとともに、その点検結果（ランプ２に異常発生）を記憶部１２に記憶した後（ステップ３）、２次電池１の放電を終了して点検を中止する（ステップ４）。
【００３２】
また、点灯検出部１０でランプ２の点灯が検出されれば、判断部１１は電圧検出部９で検出される電池電圧を所定の基準値（以下、「放電基準電圧」と呼ぶ）と比較し（ステップ８）、電池電圧が放電基準電圧以上であればステップ６に戻ってランプ２の点灯、不点灯を判別する。そして、２次電池１が放電して電池電圧が放電基準電圧を下回ったとき、判断部１１はステップ５の放電開始時点からタイマによりカウントし始めた経過時間が所定の点検時間Ｔ１（例えば、一般の非常灯では３０分、長時間型であれば６０分）以上であるか否かを判断し（ステップ９）、経過時間が点検時間Ｔ１未満であれば２次電池１に異常が発生していると判断する（ステップ１０）。そして、表示灯１３を点灯あるいは点滅させて異常発生を報知するとともに、その点検結果（２次電池１に異常発生）を記憶部１２に記憶した後（ステップ３）、２次電池１の放電を終了して点検を中止する（ステップ４）。
【００３３】
一方、経過時間が点検時間Ｔ１以上であれば、判断部１１は２次電池１が正常であると判断し（ステップ１１）、その点検結果（２次電池１及びランプ２は正常）を記憶部１２に記憶した後（ステップ３）、２次電池１の放電を終了して点検を終了する（ステップ４）。
【００３４】
而して、２次電池１の点検時にランプ２が正常に点灯していれば、図３の曲線イで示すように２次電池１の電池電圧が低下し、２次電池１の放電開始時刻（図３の時刻ｔ＝ｔ０）からの経過時間が点検時間Ｔ１を過ぎる前に放電基準電圧Ｖｒを下回ることがなく、点検時間Ｔ１を過ぎた時点の電池電圧が放電基準電圧Ｖｒ以上か否かで２次電池１が正常であるか、あるいは異常が発生しているかを判断することができる。また、ランプ２に異常があって不点灯となったときには、図３の曲線ロで示すように２次電池１の電池電圧が殆ど低下しないから、従来例では点検時間Ｔ１を過ぎた時点の電池電圧が放電基準電圧Ｖｒ以上となって２次電池１が正常と判断される虞があったが、本実施形態では点検中におけるランプ２の点灯、不点灯を点灯検出部１０で検出し、ランプ２が不点灯の場合には点検を中止するようにしているから、ランプ２の不点灯により２次電池１の点検が不正確になるのを防ぐことができる。
【００３５】
また、本実施形態の照明装置Ａ１では、上述の定期点検以外に常時において２次電池１を放電せずにその状態を監視している。そこで、この常時の監視における制御部７の動作について図４のフローチャートを参照して説明する。
【００３６】
制御部７では、判断部１１が記憶部１２に記憶されている点検結果を読み込み（ステップ１２）、充電検出部８により充電電流が検出されているか否かを判別し（ステップ１３）、充電電流が検出されなければ２次電池１が外れていると判断する（ステップ１４）。また、充電電流が検出された場合、判断部１１はステップ１２で読み込んだ点検結果から２次電池１の正常、異常を判別し（ステップ１５）、点検結果が異常であれば２次電池１に異常が発生していると判断する（ステップ１６）。さらに、点検結果が正常である場合、判断部１１は電圧検出部９で検出される充電中の電池電圧が所定のしきい値以上か否かを判別し（ステップ１７）、電池電圧がしきい値未満であれば、２次電池１に異常が発生していると判断し（ステップ１８）、電池電圧がしきい値以上であれば、２次電池１は正常と判断する（ステップ１９）。そして、ステップ１２からステップ１９の処理は定期点検が行われている間を除いて周期的に繰り返し行われており、各回の監視結果（２次電池１の正常、異常）が記憶部１２に記憶されている。
【００３７】
而して、本実施形態の照明装置Ａ１では、３ヶ月に１回行われる定期点検とは別に２次電池１の状態を常時監視しており、判断部１１では定期点検の点検結果と監視結果を総合的に判断して２次電池１並びにランプ２の異常を判断しており、例えば、予め定期点検結果と監視結果に優先順位を設定しておき、優先順位の高い結果を選択して表示灯１３で表示させている。このように本実施形態の照明装置Ａ１では、従来のように定期点検結果のみならず、監視結果と合わせて総合的に判断しているから、２次電池の点検精度の向上が図れるものである。
【００３８】
（実施形態２）
ところで、２次電池として広く利用されているＮｉＣｄ電池やＮｉＨ電池には所謂メモリ効果が生じると言われているが、この現象は一時的なものであって、深い放電を行うことで通常は解消するものである。しかしながら、２次電池１にメモリ効果が生じた場合、定期点検を繰り返すうちに毎回の放電停止付近における電池電圧が低下して２次電池１が異常と誤判断されてしまう虞がある。
【００３９】
そこで本実施形態の照明装置Ａ１では、定期点検の際に２次電池１の電池電圧がメモリ効果を生じない程度に低下するまで放電させるようにして、２次電池１にメモリ効果が生じるのを防いでおり、この点に本実施形態の特徴がある。なお、本実施形態における照明装置Ａ１の構成は実施形態１と共通であるから図示並びに説明は省略する。
【００４０】
図５のフローチャートを参照して定期点検における制御部７の動作を説明する。但し、図５から明らかなようにステップ１〜ステップ１１までの動作は実施形態１における定期点検の動作と共通であるから説明は省略する。本実施形態においては、判断部１１にて２次電池１が正常と判断された場合、制御部７は電池電圧がメモリ効果が生じない程度の電圧（これを「放電停止電圧」と呼ぶ）、例えば、２次電池１を構成する複数の電池セル１個当たり１．０Ｖ（＝１．０Ｖ／セル）以下に低下するまで２次電池１の放電を継続させる（ステップ１２）。そして、電池電圧が放電停止電圧以下になった時点で点検結果を記憶部１２に記憶した後（ステップ３）、２次電池１の放電を終了して点検を終了する（ステップ４）。
【００４１】
このように本実施形態では、定期点検の際に２次電池１の電池電圧がメモリ効果を生じない程度に低下するまで放電させることで２次電池１にメモリ効果が生じるのを防ぐことができ、本来ならば正常である２次電池１がメモリ効果のために誤って異常検出されるのを防ぐことができる。なお、制御部７が複数の点検を行う場合、例えば、比較的に短い周期（１週間に１回）で点検時間が短時間（１分程度）だけ２次電池１を放電するような点検と、上述のような定期点検とを行う場合には、点検周期及び点検時間が相対的に長い方の点検（定期点検）の際に上述のようにして２次電池１を深く放電させることが望ましい。
【００４２】
（実施形態３）
実施形態２では、定期点検の際にランプ２を点検時間以上点灯できた場合に電池電圧が放電停止電圧以下に低下するまで放電を継続することで２次電池１にメモリ効果が生じるのを防いでいるが、前回の定期点検から今回の定期点検までの間に停電による非常点灯などによって２次電池１が放電している可能性があり、浅い充放電が繰り返されてメモリ効果が生じていると、前回の定期点検でメモリ効果を解消していたとしても今回の定期点検でメモリ効果により２次電池１の異常を誤検出してしまう虞がある。
【００４３】
そこで本実施形態の照明装置Ａ１では、定期点検の際に一旦２次電池１を深く放電させてメモリ効果を解消した後に再度充電して本来の定期点検を行うようにしている。なお、本実施形態における照明装置Ａ１の構成は実施形態１と共通であるから図示並びに説明は省略する。
【００４４】
図６のフローチャートを参照して定期点検における制御部７の動作を説明する。但し、図６から明らかなようにステップ５〜ステップ７までの動作以外は実施形態１における定期点検の動作と共通であるから説明は省略する。本実施形態においては、常用時の２次電池１の監視結果が正常であると制御部７はスイッチ素子Ｑをオンして２次電池１の放電を開始するのであるが（ステップ５）、電池電圧が放電停止電圧以下に低下するまで２次電池１の放電を継続させ（ステップ６）、その後、スイッチ素子Ｑをオフして予め設定された充電時間Ｔｘだけ２次電池１の充電を行い（ステップ７）、充電時間Ｔｘが経過したらスイッチ素子Ｑをオンして放電を開始する（ステップ８）。なお、充電時間Ｔｘは電池電圧が放電停止電圧以下になるまで放電された２次電池１を満充電するのに必要充分な時間とすればよく、一般に非常灯の場合で４８時間、誘導灯の場合で２４時間程度である。
【００４５】
このように本実施形態では、定期点検の際に一旦２次電池１を深く放電させてメモリ効果を解消した後に再度充電して本来の定期点検を行うようにしているから、前回の定期点検から今回の定期点検までの間に２次電池１にメモリ効果が生じていても２次電池１の異常が誤検出されるのを防ぐことができる。
【００４６】
（実施形態４）
本実施形態の照明装置Ａ１は、点検時間が互いに異なる複数の点検モードを有している場合に、点検時間が相対的に長い点検モードの点検結果を点検時間が相対的に短い点検モードの点検結果よりも優先する点に特徴がある。なお、本実施形態における照明装置Ａ１の構成は実施形態１と共通であるから図示並びに説明は省略する。
【００４７】
図７のフローチャートを参照して本実施形態における制御部７の動作を説明する。
【００４８】
点検が開始されると（ステップ１）、制御部７はスイッチ素子Ｑをオンして２次電池１の放電を開始し（ステップ２）、同時にタイマにより経時時間Ｔのカウントを開始する（ステップ３）。そして、点灯検出部１０の検出結果からランプ２の点灯、不点灯を判別し（ステップ４）、不点灯であればランプ２の異常と判断して（ステップ５）、表示灯１３を点灯あるいは点滅させて異常発生を報知するとともに、その点検結果（ランプ２に異常発生）を記憶部１２に記憶した後（ステップ６）、２次電池１の放電を終了して点検を中止する（ステップ７）。
【００４９】
また、点灯検出部１０でランプ２の点灯が検出されれば、判断部１１は電圧検出部９で検出される電池電圧を放電基準電圧と比較し（ステップ８）、２次電池１が放電して電池電圧が放電基準電圧を下回ったとき、判断部１１はその時点におけるタイマの経過時間Ｔａ＝Ｔを記憶してタイマを停止する（ステップ９）。さらに判断部１１では、この経過時間Ｔａが所定の判定時間Ｔ１（例えば、２０分）を越えるか否かを判断し（ステップ１０）、越えていれば２次電池１が正常であると判断して（ステップ１１）、その点検結果（２次電池１及びランプ２が正常であること）を記憶部１２に記憶した後（ステップ６）、２次電池１の放電を終了して点検を終了する（ステップ７）。
【００５０】
一方、経過時間Ｔａが判定時間Ｔ１以下である場合、判断部１１は前回の経過時間Ｔｂと今回の経過時間Ｔａを比較し（ステップ１２）、今回の経過時間Ｔａが前回の経過時間Ｔｂ以下であれば、点検結果を判断せずに放電を終了して点検を中止する（ステップ７）。これに対して、前回の経過時間Ｔｂが今回の経過時間Ｔａを越えていれば、判断部１１は今回の経過時間Ｔａを経過時間Ｔｂに代入し（ステップ１３）、２次電池１に異常が発生したと判断する（ステップ１４）。そして、表示灯１３を点灯あるいは点滅させて異常発生を報知するとともに、その点検結果（２次電池１に異常発生）と経過時間Ｔｂを記憶部１２に記憶した後（ステップ６）、２次電池１の放電を終了して点検を中止する（ステップ７）。
【００５１】
また、電池電圧が放電基準電圧を下回らない状態で点検時間が経過して点検が終了したら（ステップ１５）、その時点の経過時間Ｔｃ＝Ｔを記憶してタイマを停止する（ステップ１６，１７）。そして、判断部１１は前回の経過時間Ｔｂと今回の経過時間Ｔｃを比較し（ステップ１８）、今回の経過時間Ｔｃが前回の経過時間Ｔｂ以下であれば、点検結果を判断せずに放電を終了して点検を中止する（ステップ７）。これに対して、今回の経過時間Ｔｃが前回の経過時間Ｔｂを越えていれば、２次電池１は正常と判断する（ステップ１１）。そして、その点検結果（２次電池１は正常）と今回の経過時間Ｔｃを代入した経過時間Ｔｂとを記憶部１２に記憶した後（ステップ６）、２次電池１の放電を終了して点検を終了する（ステップ７）。
【００５２】
上述のように本実施形態では、点検時間が異なる複数の点検モードを有している場合に点検時間の長い、すなわち、点検結果がより正確であると考えられる点検結果を優先して判断することによって点検精度の向上が図れる。例えば、前回の点検モードの点検時間を１５分、今回の点検モードの点検時間を５分としたとき、前回の点検モードで異常が検出されていながら今回の点検モードで異常が検出されなかった場合でも、点検時間の長い前回の点検モードの点検結果を優先して異常と判断することにより、本来必要な性能（判定時間２０分内で異常が発生しないこと）を満足することができる。
【００５３】
（実施形態５）
本実施形態の照明装置Ａ１は、図８に示すように２次電池１が互いに並列接続される複数の電池セル１１〜１４からなり、個々の電池セル１１〜１４を充電部５並びに点灯回路部６と個別に接続／切り離しを行う選択切換部１４を備え、点検時に各電池セル１１〜１４を個別に点灯回路部６と接続して放電させる点に特徴がある。但し、本実施形態の基本構成は実施形態１と共通であるから、共通の構成要素には同一の符号を付して適宜図示並びに説明を省略する。
【００５４】
２次電池１を構成する複数（本実施形態では４つ）の電池セル１１〜１４は、それぞれ２次電池１に要求される必要な容量の４分の１の容量を有するものであって、選択切換部１４を介して充電部５並びに点灯回路部６と互いに並列に接続されている。選択切換部１４は、各電池セル１１〜１４の正極と点灯回路部６との間にアノードを正極側として接続されたダイオードＤ１１，Ｄ２１，Ｄ３１，Ｄ４１及びスイッチ要素ＳＷ１１，ＳＷ２１，ＳＷ３１，ＳＷ４１の直列回路と、各電池セル１１〜１４の正極と充電部５との間にカソードを正極側として接続されたダイオードＤ１２，Ｄ２２，Ｄ３２，Ｄ４２及びスイッチ要素ＳＷ１２，ＳＷ２２，ＳＷ３２，ＳＷ４２の直列回路とで構成される。スイッチ要素ＳＷ１１，…はバイポーラトランジスタ、ＭＯＳＦＥＴあるいはトライアックなどの半導体スイッチ素子若しくはリレー等からなり、制御部７によって個別にオン、オフされる。
【００５５】
常時においては、制御部７によりスイッチ要素ＳＷ１１，ＳＷ２１，ＳＷ３１，ＳＷ４１が全てオフ、スイッチ要素ＳＷ１２，ＳＷ２２，ＳＷ３２，ＳＷ４２が全てオンとされて全ての電池セル１１〜１４が充電部５と接続されて充電される。また、非常時においては、制御部７によりスイッチ要素ＳＷ１１，ＳＷ２１，ＳＷ３１，ＳＷ４１が全てオン、スイッチ要素ＳＷ１２，ＳＷ２２，ＳＷ３２，ＳＷ４２が全てオフとされて全ての電池セル１１〜１４が点灯回路部６と接続されてランプ２に電力を供給する。
【００５６】
一方、点検時おいては、制御部７によりスイッチ要素ＳＷ１１，ＳＷ２１，ＳＷ３１，ＳＷ４１の何れか一つ（例えばＳＷ１１）をオン、その他の全てのスイッチ要素ＳＷ１２，…をオフとすることにより、選択切換部１４で選択された一つの電池セル１１，…のみが点灯回路部６と接続されて放電され、個々の電池セル１１〜１４毎に点検が行われる。
【００５７】
而して、２次電池１の点検を複数の電池セル１１〜１４毎に個別に行うことによって、点検中あるいは点検後の充電中に商用電源ＡＣが停電して非常点灯が開始した場合、少なくとも４分の３の点灯時間は確保することが可能であるから、２次電池１の容量不足により必要な点灯時間が確保できずに安全上の問題が生じるリスクを小さくできる。また、一つの電池セル１１が寿命になった場合でも交換までの間は他の３つの電池セル１２〜１４で本来の４分の３の点灯時間は確保することができる。
【００５８】
なお、本実施形態では４つの電池セル１１〜１４を並列に接続して２次電池１を構成しているが、一つの電池セル１１〜１４のみで必要な電圧を確保できない場合には、図９に示すように複数の電池セル１１１〜１１４，…で直列回路を構成するようにしてもよい。また、図１０に示すように同容量の電池セル１５を追加すれば、点検中や交換までの期間を含めて常に必要な点灯時間を確保することができる。
【００５９】
（実施形態６）
本実施形態の照明装置Ａ１は、商用電源ＡＣが停電後に復電してからの経過時間を制御部７にてカウントし、カウントされる経過時間が２次電池１を満充電するのに要する時間（充電時間）に達するまでは点検を開始しないようにしている点に特徴がある。なお、本実施形態における照明装置Ａ１の構成は実施形態１と共通であるから図示並びに説明は省略する。
【００６０】
本実施形態における制御部７の動作を図１１のフローチャートを参照して説明する。
【００６１】
制御部７は、商用電源ＡＣが停電していればスイッチ素子Ｑをオンして２次電池１からの電力供給でランプ２を非常点灯させ（ステップ１，２）、商用電源ＡＣが復電すると復電した時点からの経過時間をタイマによりカウントする。そして、制御部７は点検スイッチ３の操作状態を監視しており、商用電源ＡＣが停電していない常時において点検スイッチ３が操作されたことを検出すると、その時点までの経過時間が２次電池１を満充電するのに要する時間（例えば、２４時間）を越えているかを判断し（ステップ３）、越えていればスイッチ素子Ｑをオンして点検処理を行い（ステップ４）、越えていなければ点検処理を行わない。
【００６２】
このように本実施形態では、停電時に放電された２次電池１が復電後に満充電されるまでは点検が開始されないから、満充電されていない状態で２次電池１の点検が行われるのを防ぐことができる。その結果、満充電されていない状態の２次電池１が点検によって異常と誤検出されるのを防止できる。
【００６３】
なお、図１２に示すように充電検出部８を充電部５から２次電池１への充電経路に挿入された検出抵抗Ｒと、検出抵抗Ｒの両端電圧を比較するコンパレータＣＰとで構成し、充電中には充電電流による電圧降下で検出抵抗Ｒの両端に電位差が生じてコンパレータＣＰの出力がＨレベルとなり、２次電池１が満充電されると充電電流が流れなくなって検出抵抗Ｒの両端に電位差が生じなくなってコンパレータＣＰの出力がＬレベルとなるようにし、商用電源ＡＣが停電していない常時において点検スイッチ３が操作されたことを検出した制御部７が、充電検出部８で満充電を検出している場合にのみ点検処理を行うようにしても構わない。すなわち、点検前に数秒程度の停電があって２次電池１の容量がごく僅かに減少しているような場合、復電後の経過時間で２次電池１の満充電を判断するよりも、上述のように充電電流によって満充電を判断する方が２次電池１を満充電して点検処理を開始できるまでの時間を大幅に短縮することができる。
【００６４】
（実施形態７）
本実施形態の照明システムのシステム構成図を図１３に、照明装置Ａ２のブロック図を図１４にそれぞれ示す。本実施形態の照明システムは、複数の照明装置Ａ２と、各照明装置Ａ２との間で通信線Ｌｓを介してデータの授受を行う制御装置Ｂとで構成される。
【００６５】
本実施形態における照明装置Ａ２は、図１４に示すように点検スイッチ３及び表示灯１３を具備しない点と、通信線Ｌｓを介してデータの授受を行うための通信部１５並びに通信のためのアドレスを設定するアドレス設定部１６とを具備する点とを除けば、実施形態１〜６の照明装置Ａ１の何れかと共通の構成を備えている。したがって、実施形態１〜６の何れかと共通の構成要素には同一の符号を付して説明を省略する。
【００６６】
アドレス設定部１６はディップスイッチで構成されており、各照明装置Ａ２に固有のアドレスの他に複数の照明装置Ａ２からなるグループを特定するためのグループ番号も設定可能であって、照明システムの施工時にアドレス設定が行われる。
【００６７】
制御装置Ｂは、通信線Ｌｓを介して照明装置Ａ２との間でデータを授受する通信手段やマイクロコンピュータからなる制御手段、その他にＥＥＰＲＯＭなどからなる不揮発性のメモリ等を備えている。但し、このような制御装置Ｂは従来周知の技術で実現可能であるから詳細な構成については図示並びに説明を省略する。
【００６８】
本実施形態においては、制御装置Ｂが各照明装置Ａ２の固有アドレスを指定して定期的（例えば、３ヶ月に１回）に点検開始のコマンドデータを順次送信し、このコマンドデータを受信した照明装置Ａ２では、制御部７が通信部１５で受信したコマンドデータを解釈して点検処理を開始し、スイッチ素子Ｑをオンして２次電池１からの電力供給でランプ２を点灯させ、個々の照明装置Ａ２毎に制御装置Ｂからの指令で定期点検を行う。また、各照明装置Ａ２では、３ヶ月に１回行われる定期点検とは別に２次電池１の状態を常時監視しており、判断部１１では定期点検の点検結果と監視結果を総合的に判断して２次電池１並びにランプ２の異常の有無を総合的に判断し、優先順位の高い結果を選択して制御装置Ｂに送信している。したがって、点検作業を行う者は各照明装置Ａ２の設置場所まで赴いて点検を行わなくても制御装置Ｂによってそれぞれの照明装置Ａ２の点検結果を把握することができて点検作業の省力化が図れる者である。
【００６９】
（実施形態８）
これまでの実施形態１〜７においては、常時にはランプ２を消灯させておき、非常時にランプ２を点灯させる非常灯として構成された照明装置Ａ１，Ａ２を例示したが、本実施形態の照明装置Ａ３は常時及び非常時ともにランプ２を点灯させるタイプの非常灯、あるいは誘導灯として構成されている。すなわち、図１５に示すように、電源回路部４の出力を充電部５だけでなく点灯回路部６にも入力し、常時においても商用電源ＡＣからの電力供給でランプ２を点灯させ、非常時には制御部７によりスイッチ素子Ｑをオンして２次電池１からの電力供給でランプ２を点灯させるものである。なお、本実施形態では常時においてもランプ２を点灯させるから、常時の監視項目にランプ２の点灯、不点灯の検出も追加する必要がある。
【００７０】
而して、本実施形態でも実施形態１〜７と同様に、照明装置Ａ３にて３ヶ月に１回行われる定期点検とは別に２次電池１並びにランプ２の状態を常時監視しており、判断部１１では定期点検の点検結果と監視結果を総合的に判断して２次電池１並びにランプ２の異常の有無を総合的に判断することで２次電池１の点検精度の向上が図れるとともにランプ２の異常を早期に検出できるものである。
【００７１】
（実施形態９）
本実施形態の照明装置Ａ４は、図１６に示すように非常用の点灯回路部６とは別に常用の点灯回路部１７と、非常時と常時においてランプ２に接続する点灯回路部６，１７を切り換える切換部１８とを備えている。
【００７２】
常用の点灯回路部１７は商用電源ＡＣからの電力供給でランプ２を点灯させるものであって、ランプ電流の有無に基づいて常時のランプ２の点灯、不点灯を検出し、その検出結果を出力部１７ａから制御部７の点灯検出部１０に出力している。また、切換部１８は制御部７によって切換動作が制御され、常時には点灯回路１７をランプ２に接続するとともに非常時には点灯回路部６をランプ２に接続する。
【００７３】
而して、本実施形態でも実施形態８と同様の効果を奏し、さらに、点灯回路部１７の出力部１７ａから出力する検出結果に基づいて判断部１１が常時におけるランプ２の点灯、不点灯を判断しているから、ランプ２の異常を早期に検出することができる。
【００７４】
（実施形態１０）
本実施形態の照明システムは、図１７に示すように複数の照明装置Ａ２と、各照明装置Ａ２との間でデータの授受を行う制御装置Ｂと、制御装置Ｂとの間でデータの授受を行う管理センタＣとを備え、ランプ２や２次電池１を含む構成部品の交換に関する情報を照明装置Ａ２の記憶部１２に記憶させ、照明装置Ａ２の記憶部１２に記憶した前記情報を制御装置Ｂを経由し管理センタＣにて取得する点に特徴がある。但し、照明装置Ａ２及び制御装置Ｂの構成については実施形態７と共通であるから説明は省略する。
【００７５】
管理センタＣは照明装置Ａ２及び制御装置Ｂが設置されている場所から離れた場所に設置され、公衆電話回線網等の通信網ＮＷを介して制御装置Ｂと接続されており、制御装置Ｂとの間でデータの授受を行うための通信機器やコンピュータ、データ記憶用の外部記憶装置、データ表示用のディスプレイ装置などで構成されている。なお、このような構成を有する管理センタＣは従来周知の技術により実現可能であるから詳細な説明は省略する。
【００７６】
照明装置Ａ２においては、ランプ２の品番やランプ２を配設するために使用される器具の品番、並びに２次電池１の品番等の情報（以下、「品番情報」と呼ぶ）が予め記憶部１２に記憶されており、制御装置Ｂからの要求に応じて記憶部１２から読み出された品番情報が通信部１５から通信線Ｌｓを介して制御装置Ｂに送信されるようになっている。但し、品番情報を制御装置Ｂが具備するデータベースに登録しておき、照明装置Ａ２にはデータベースに登録されている品番情報に対応した番号をディップスイッチによって設定するようにしておき、ディップスイッチで設定されている番号を照明装置Ａ２から受け取り、制御装置Ｂがデータベースを参照してその番号に対応する品番情報を取得するようにしても構わない。また、制御装置Ｂからの要求に関係なく、点検終了後に異常があると判断された部品の品番情報を照明装置Ａ２から制御装置Ｂに自発的に送信するようにしてもよい。
【００７７】
一方、制御装置Ｂは管理センタＣからの要求に応じて各照明装置Ａ２の品番情報を通信網ＮＷを介して送信しており、管理センサＣにおいて制御装置Ｂを経由して複数の照明装置Ａ２の品番情報を取得することができる。すなわち、通常は照明装置Ａ２が設置されている現場に作業者が出向いて点検を行い、点検により異常が見つかれば異常のあった部品の品番を確認し、当該品番に一致する交換部品を作業者が一旦取りに戻ってから交換するという手順になるが、本実施形態では、点検で異常が見つかった部品の品番を管理センタＣで取得する品番情報から知ることができるため、現場に出向く作業者が交換部品を持参して交換するだけで済み、部品の交換作業（メンテナンス作業）が大幅に省力化できるという利点がある。
【００７８】
（実施形態１１）
本実施形態は、各照明装置Ａ２において商用電源ＡＣの停電時（非常時）には２次電池１から通信部１５への電力供給を行わないようにした点に特徴がある。
【００７９】
図１８に示すように、制御部７及び通信部１５には電源回路部４から電力供給が行われ、制御部７にはダイオードＤａを介して２次電池１からも電力供給が可能となっているが、通信部１５には２次電池１からの電力供給が行われない構成となっている。すなわち、商用電源ＡＣから電力供給が行われる常時においては、電源回路部４から制御部７及び通信部１５の双方に電力が供給されるが、非常時には商用電源ＡＣからの電力供給が停止するために通信部１５は動作せず、制御部７は２次電池１からの電力供給で動作する。
【００８０】
あるいは、図１９に示すように電源回路部４から通信部１５への給電経路に電源回路部４が動作しているときにだけオンするリレー接点ｒが挿入された構成としてもよい。すなわち、商用電源ＡＣから電力供給が行われる常時においては、リレー接点ｒがオンして電源回路部４から制御部７及び通信部１５の双方に電力が供給されるが、非常時には商用電源ＡＣからの電力供給が停止するために電源回路部４も動作せず、リレー接点ｒがオフして通信部１５は動作せず、制御部７は２次電池１からの電力供給で動作する。
【００８１】
このように本実施形態の照明装置Ａ２では、商用電源ＡＣの停電時（非常時）に２次電池１から通信部１５への電力供給を行わないようにしているから、非常時における電力消費を抑えることでランプ２を必要な時間だけ確実に点灯させることができる。なお、図１８及び図１９では充電部５やスイッチ素子Ｑ等の図示を省略しているが、基本的な構成は実施形態７の照明装置Ａ２と共通である。
【００８２】
（実施形態１２）
本実施形態の照明システムは、図２０に示すように複数の照明装置Ａ２’と、各照明装置Ａ２’との間で通信線Ｌｓを介してデータの授受を行う制御装置Ｂ’と、数台の照明装置Ａ２’と制御装置Ｂ’との間に通信線Ｌｓを介して接続されるフロアモニタＤとを備えている。
【００８３】
本実施形態における照明装置Ａ２’は、判断部１１を具備しない点を除いて実施形態７の照明装置Ａ２と共通の構成を有しているから、図示並びに説明は省略する。これに対して本実施形態における制御装置Ｂ’は、照明装置Ａ２の判断部１１と同じ機能を有する判断手段を備えている。但し、この判断手段は、制御手段を構成するマイクロコンピュータによって実現される。
【００８４】
また、フロアモニタＤは通信線Ｌｓを介して照明装置Ａ２’並びに制御装置Ｂ’とデータの授受を行う通信手段、ＥＥＰＲＯＭなどからなる記憶手段、マイクロコンピュータからなり全体を制御する制御手段、ブラウン管や液晶ディスプレイからなる表示手段等を備えている。図２１に示すように、フロアモニタＤは合成樹脂製の矩形箱形のハウジング２０内に上記各手段が収納され、表示手段の画面２１がハウジング２０の前面に臨み、各種の設定等を行うためのスイッチ操作部２２がハウジング２０の前面に設けられている。但し、このようなフロアモニタＤは従来周知の技術で実現可能であるから詳細な構成については図示並びに説明を省略する。
【００８５】
本実施形態においては、制御装置Ｂ’が各照明装置Ａ２’に固有のアドレスを指定して定期的（例えば、３ヶ月に１回）に点検開始のコマンドデータを順次送信し、このコマンドデータを受信した照明装置Ａ２’では、制御部７が通信部１５で受信したコマンドデータを解釈して点検処理を開始し、スイッチ素子Ｑをオンして２次電池１からの電力供給でランプ２を点灯させ、個々の照明装置Ａ２’毎に制御装置Ｂ’からの指令で定期点検を行う。なお、同一のフロアモニタＤに接続されている同系統の照明装置Ａ２’毎に並行して点検を実施することも可能である。そして、各照明装置Ａ２’から制御装置Ｂ’に対して定期点検の結果が通信部１５から通信線Ｌｓを介して送信され、制御装置Ｂ’では各照明装置Ａ２’から受信した点検結果を記憶手段に記憶する。
【００８６】
さらに、制御装置Ｂ’は定期点検に比較して非常に短い周期（例えば、１時間毎）に各照明装置Ａ２’に対して監視結果を返信するように要求するコマンドデータを順次送信しており、このコマンドデータを受信した照明装置Ａ２’では、電圧検出部９で検出する２次電池１の電池電圧や充電検出部８で検出する充電の有無などの検出結果（監視結果）を制御装置Ｂ’に返信する。そして、制御装置Ｂ’では照明装置Ａ２’から返信された監視結果を点検結果とともに記憶手段に記憶する。
【００８７】
而して、制御装置Ｂ’が備える判断手段は、各照明装置Ａ２’毎に３ヶ月に１回行われる定期点検の結果と監視結果を総合的に判断し、両者のうちで相対的に精度が高い方の結果を優先し、このように優先順位が高い方の結果を表示手段で表示したり、あるいはその結果をフロアモニタＤに送信してフロアモニタＤの表示手段に表示させる。
【００８８】
このように本実施形態では、制御装置Ｂ’が判断手段を備えて点検結果と監視結果の双方を総合的に判断して２次電池１やランプ２の異常の有無を判断しているから、個々の照明装置Ａ２毎に判断部１１が異常の有無を判断する場合に比較して点検作業の一層の省力化が図れるものである。
【００８９】
（実施形態１３）
本実施形態の照明システムは、実施形態７と共通の構成を有しているので図示は省略する。本実施形態が実施形態７と異なる点は、実施形態７では消防庁告示などの法令で規定されている定期点検、並びに２次電池１の充電状態を常時（例えば、１時間毎に）監視する常時監視の２通りの結果でしか異常を検出していないのに対し、本実施形態では、定期点検の他に施工直後の初期に行う初期点検、定期点検よりも点検時間が短く且つ頻度の高い予備定期点検、２次電池１の累積充電時間、点灯回路部６の累積動作時間、充電部５の累積動作時間、ランプ２の累積点灯時間を長期間（例えば、２４時間毎）に監視する長期監視の各機能（モード）を追加し、これら５通りの結果から異常を検出する点に特徴がある。
【００９０】
これら５通りの機能（モード）は、例えば、縦軸を各照明装置Ａ２、横軸を時間とした図２２に示すスケジュールに従って実行される。同図において、■は定期点検を示しており、本実施形態では６ヶ月に１回の頻度で実施される。また、▲は初期点検を示しており、本システムの施工直後に一旦２次電池１を満充電してから所定の点検時間以上、２次電池１からの電力供給でランプ２を点灯させて定期点検と同じ内容の点検を行う。但し、この初期点検は実際の稼働前に実施されるから、全ての照明装置Ａ２について同時に実施しても支障はないが、数台ずつに分けて実施しても構わない。
【００９１】
図２２において●は予備定期点検を示しており、月に１回の頻度で実施されるが、定期点検と同様に全ての照明装置Ａ２について同時に実施せずに時間をずらして順次実施される。この予備定期点検では各照明装置Ａ２の２次電池１の寿命がチェックされる。すなわち、制御装置Ｂから予備定期点検の開始を指令するコマンドデータが各照明装置Ａ２に順次送信され、そのコマンドデータを受信した照明装置Ａ２においては、制御部７が商用電源ＡＣからの電力供給を２次電池１からの電力供給に切り換えて短時間（例えば、５分間）だけランプ２を点灯させた後、判断部１１にて電池電圧が規定値以上であれば合格、規定値未満であれば不合格と判断し、その結果を制御装置Ｂに送信する。ここで、上記合否判定では定期点検と異なり、「明らかな合格」、「明らかな不合格」、「判定不能」の３つの場合があり、「判定不能」とは周囲温度や部品のばらつき等の影響で短時間の放電では判断できない場合を指す。なお、予備定期点検で「判定不能」と判断された照明装置Ａ２に対して定期点検の頻度を高く、例えば３か月に１回とすればよい。このような予備定期点検を実施することによって、定期点検よりも早期に「明らかな不合格」となる照明装置Ａ２を検出することができる。
【００９２】
一方、長期監視は図２２において破線で示しており、各照明装置Ａ２にて２４時間毎に実施される。各照明装置Ａ２では、２次電池１の累積充電時間、点灯回路部６の累積動作時間、充電部５の累積動作時間、ランプ２の累積点灯時間を２４時間毎に検出し、その検出値を記憶部１２に更新記憶しており、それぞれの検出値が所定の判定値を越えれば判断部１１にて「不合格」と判断し、その結果を制御装置Ｂに送信する。
【００９３】
ここで、一般に２次電池の寿命の考え方はその使用方法により大きく二つに分けられる。一つは、携帯オーディオ機器のように充電と放電を交互に繰り返す「サイクル使用」の場合であって充放電回数により寿命が決まり、もう一つは、微少電流で常時充電しておいて主電源（商用電源）が遮断されたときだけ非常用として使用する「スタンバイ使用」の場合であって充電時間（動作時間）により寿命が決まる。本発明に係る照明装置Ａ２では後者の「スタンバイ使用」で２次電池１を使用しているから、２次電池１の累積充電時間を管理することで２次電池１の寿命を知ることができる。また、ランプ２についても点灯時間による定格寿命が定められているから、累積点灯時間を管理することでランプ２の寿命を知ることは容易である。さらに、充電部５や点灯回路部６に使用されている電解コンデンサが相対的に短寿命の部品であり、所定の温度環境下における動作保証期間が部品製造者から提供されているため、累積動作時間を管理することで充電部５並びに点灯回路部６の設計上の寿命を推測することが可能である。
【００９４】
このように２次電池１の累積充電時間、点灯回路部６の累積動作時間、充電部５の累積動作時間、ランプ２の累積点灯時間を長期間監視することにより、定期点検や予備定期点検あるいは常時監視の結果だけでなく、理論的に把握される２次電池１やランプ２などの寿命の検出を含めて総合的に異常検出を行うことができて異常検出（寿命検出）の信頼性が向上する。また、寿命を検出することで交換が必要な部品を予め用意しておくことも可能となる。
【００９５】
ところで、寿命を検出して２次電池１やランプ２あるいはその他の部品を交換した場合、記憶部１２に記憶している交換された部品等に関するデータ（例えば、２次電池１の累積充電時間など）を初期化しなければならない。そこで、２次電池１やランプ２の交換を検知する検知手段を照明装置Ａ２に設け、検知手段で交換が検知されたときに制御部７にて記憶部１２の記憶内容から該当部品に関するデータを初期化するようにしている。あるいは、手動のリセットスイッチを照明装置Ａ２に設けておき、２次電池１やランプ２等を交換した作業者が該当部品に対応したリセットスイッチを操作することにより、制御部７が記憶部１２の記憶内容から該当部品に関するデータを初期化するようにしても構わない。
【００９６】
なお、本実施形態では各照明装置Ａ２が判断部１１を備えているが、実施形態１２と同様に制御装置Ｂ’に判断手段を備える構成とし、複数の照明装置Ａ２’の点検結果や監視結果の記憶、合否判断並びに異常検出を制御装置Ｂ’で一括して行うようにしてもよい。この場合、各照明装置Ａ２’では２４時間毎に直前の２４時間内に２次電池１やランプ２等の交換の有無を制御装置Ｂ’に送信し、制御装置Ｂ’では部品の交換がなければ記憶手段に記憶している監視結果を更新し、部品の交換があれば監視結果を初期化する。
【００９７】
（実施形態１４）
一般に２次電池においては、図２４に示すように寿命末期に近付くに従って内部抵抗が上昇して放電容量が低下することが判っている。故に、内部抵抗が判れば２次電池１の寿命を予測することが可能である。ここで、放電時における２次電池１の電池電圧Ｖは、回路電圧をＥ、放電電流をＩ、内部抵抗をＲとしたときに下記の式で表される。
【００９８】
Ｖ＝Ｅ−Ｉ×Ｒ
充電電流が小さい場合には充電時の電池電圧を回路電圧Ｅとみなし得るから、充電時の電池電圧と放電時の電池電圧の差（これを「電圧降下率」と呼ぶ）ΔＶは下記の式で表される。
【００９９】
ΔＶ＝Ｅ−Ｖ＝Ｉ×Ｒ
すなわち、上記電圧降下率ΔＶが内部抵抗Ｒに比例することから、電圧降下率ΔＶを検出することで２次電池１の寿命を判断することができる。
【０１００】
そこで本実施形態では、予備定期点検の際に照明装置Ａ２にて電圧降下率ΔＶを検出して２次電池１の寿命を判断している。そこで、この予備定期点検における制御部７の動作について図２３のフローチャートを参照して説明する。
【０１０１】
制御部７では、記憶部１２に記憶されている常用監視での２次電池１の監視結果が正常か否かを判断し（ステップ１）、正常でなければ２次電池１の異常と判断し（ステップ２）、その点検結果（２次電池１に異常発生）を記憶部１２に記憶した後（ステップ３）、２次電池１の放電を終了して予備定期点検を中止する（ステップ４）。
【０１０２】
一方、常用監視の監視結果が正常であれば、制御部７はスイッチ素子Ｑをオンして２次電池１の放電を開始し（ステップ５）、点灯検出部１０の検出結果からランプ２の点灯、不点灯を判別し（ステップ６）、不点灯であればランプ２の異常と判断する（ステップ７）。そして、その点検結果（ランプ２に異常発生）を記憶部１２に記憶した後（ステップ３）、２次電池１の放電を終了して点検を中止する（ステップ４）。
【０１０３】
また、点灯検出部１０でランプ２の点灯が検出されれば、判断部１１はステップ５の放電開始時点からタイマによりカウントし始めた経過時間が所定の点検時間Ｔ１（例えば、５分）に達するまで２次電池１の放電を継続する（ステップ８）。そして、経過時間が点検時間Ｔ１に達すれば電圧降下率ΔＶを検出し（ステップ９）、検出した電圧降下率ΔＶを所定のしきい値Ｖ１と比較する（ステップ１０）。そして、電圧降下率ΔＶがしきい値Ｖ１以上であれば、判断部１１は２次電池１が異常であると判断し（ステップ１１）、反対に電圧降下率ΔＶがしきい値Ｖ１未満であれば、判断部１１は２次電池１が正常であると判断し（ステップ１２）、それぞれの点検結果を記憶部１２に記憶した後（ステップ３）、２次電池１の放電を終了して点検を終了する（ステップ４）。
【０１０４】
このようにして本実施形態では、２次電池１を長時間放電させずにその寿命を検出することができる。
【０１０５】
（実施形態１５）
本実施形態は、照明装置Ａ２（又はＡ１）において、制御部７が電圧検出部９により検出される電池電圧と充電検出部８で検出される充電の有無とから２次電池１が交換されたか否かを判断し、２次電池が交換されたと判断した場合には少なくとも２次電池１に関するそれまでの点検結果並びに監視結果を初期化する点に特徴があり、その他の構成及び動作は実施形態７（又は実施形態１）と共通である。よって、実施形態７（又は実施形態１）と共通の構成要素には同一の符号を付して図示並びに説明は省略する。
【０１０６】
次に、図２５のフローチャートを参照して常時監視における制御部７の動作について説明する。
【０１０７】
制御部７では、判断部１１が記憶部１２に記憶されている点検結果を読み込み（ステップ１２）、充電検出部８により充電電流が検出されているか否かを判別し（ステップ１３）、充電電流が検出されなければ２次電池１の点検結果を初期化して正常とするとともに（ステップ１４）、２次電池１が外れていると判断する（ステップ１５）。また、充電電流が検出された場合、判断部１１はステップ１２で読み込んだ点検結果から２次電池１の正常、異常を判別し（ステップ１６）、点検結果が異常であれば２次電池１に異常が発生していると判断する（ステップ１７）。さらに、点検結果が正常である場合、判断部１１は電圧検出部９で検出される充電中の電池電圧が所定のしきい値以上か否かを判別し（ステップ１８）、電池電圧がしきい値未満であれば、２次電池１に異常が発生していると判断し（ステップ１９）、電池電圧がしきい値以上であれば、２次電池１は正常と判断する（ステップ２０）。そして、ステップ１２からステップ２０の処理は定期点検が行われている間を除いて周期的に繰り返し行われており、各回の監視結果（２次電池１の正常、異常）が記憶部１２に記憶されている。
【０１０８】
ここで、異常が検出された２次電池１を交換した場合を考えると、交換後の正常な２次電池１には充電電流が流れているから判断部１１にて点検結果により２次電池１の正常、異常が判別されるが（ステップ１６）、このときには２次電池１の点検結果が初期化されて正常となっている（ステップ１４）ので正常と判別されることになる。すなわち、異常が検出された２次電池１を新しい２次電池１に交換するだけで点検結果を初期化することができるから、交換に伴って特別に初期化の作業を行う必要がなく、初期化のし忘れによって２次電池１の異常が誤検出されるのを防ぐこともできる。
【０１０９】
（実施形態１６）
ところで、２次電池１の電池電圧等の複数の状態を一日のうちに何度も検出する場合、周囲温度等の影響を大きく受けるために時刻や季節等の監視時の条件によって正常、異常の判断が異なることがあり、同一部品に対する監視結果が変化することが多くなって異常検出の精度が低下してしまう虞がある。
【０１１０】
そこで本実施形態では、制御装置Ｂ’の判断手段が、各照明装置Ａ２’の点検結果又は監視結果のデータを取得して保存し、保存した点検結果又は監視結果の履歴に基づいて照明装置Ａ２’における異常の有無を判断するようにしており、この点に本実施形態の特徴がある。なお、これ以外の構成及び動作は実施形態１２と共通であるから図示並びに説明は省略する。
【０１１１】
例えば、図２６に示すように何らかの原因で照明装置Ａ２’の監視結果が正常と異常を繰り返している場合に対して、制御装置Ｂ’の判断手段において判断期間（例えば、監視結果の１０回分）を設定し、判断期間のうちに所定回数（例えば、５回）の異常を検出すれば異常が発生していると判断するようにすればよい。
【０１１２】
あるいは、図２７に示すように異常の監視結果が散発的に検出される場合に対して、制御装置Ｂ’の判断手段において異常が検出された総数が所定値（例えば５回）を越えた時点で異常と判断するようにすればよい。
【０１１３】
また、図２８に示すように常時監視が一日のうちの特定の時刻に実施され、ある特定の時刻における監視結果のみが異常となる場合に対して、そのような状況では気温等の要因が監視結果に大きく関わっていると考えられるので、制御装置Ｂ’の判断手段では特定の時刻でのみ異常となる場合には正常と判断するようにすればよい。
【０１１４】
さらに、図２９に示すように制御装置Ｂ’においては監視結果や２次電池１の交換をその実施時刻とともに記憶手段に記憶しており、例えば、２次電池１の交換から一月しか経過していない時点で異常が検出されても判断手段にて異常と判断せず、１０年後の監視結果で異常が検出されたら判断手段にて異常と判断するというように、２次電池１の新しさを含めて判断するようにすればよい。
【０１１５】
このように本実施形態では、１回の点検結果又は監視結果だけでなく、過去数回分の結果を含めて総合的に異常の有無を判断することによって、異常検出の精度を向上することができる。なお、判断手段にて異常と判断した場合に、制御装置Ｂ’に設けた表示灯を点灯させて異常表示を行ったり、あるいは異常が検出された照明装置Ａ２’が具備する表示灯を点灯させて異常表示を行うようにしても構わない。
【０１１６】
（実施形態１７）
一般に、２次電池１の放電時間は温度特性を有しており、常温（例えば２０±５℃）より高温であっても低温であっても短くなる。従って、点検時の温度が常温に近い温度であってその結果が正常であったとしても、実際の非常時が常温よりも高温若しくは低温であると必要な放電時間（ランプ２の点灯時間）が得られないことが予想される。逆に温度環境を考慮して正常、異常を判断するしきい値に充分なマージンを持たせると正常な２次電池１が異常と誤判断される可能性がある。
【０１１７】
そこで本実施形態は、２次電池１の周囲温度を検出する温度検出部を照明装置Ａ１（又はＡ２又はＡ２’）に設け、制御部７において、温度検出部で検出する周囲温度に応じて２次電池１の放電特性を補正し、最も温度条件が悪い場合を想定して２次電池の異常を検出しており、この点に本実施形態の特徴がある。但し、これ以外の構成及び動作は実施形態１又は実施形態７又は実施形態１２と共通であるから、図示並びに説明は省略する。
【０１１８】
照明装置Ａ１の制御部７では、最も条件の悪い温度（例えば、−１０℃）において２０分間放電した後の電池電圧をＶ（−１０）、−５℃における２０分間放電後の電池電圧をＶ（−５）、０℃における２０分間放電後の電池電圧をＶ（０）、温度４０℃における２０分間放電後の電池電圧をＶ（４０）というように主な周囲温度に対して２０分間放電後の電池電圧のデータを事前にデータテーブルとして記憶している。そして、実際に点検（２０分間の放電）を行った結果、温度検出部で検出された周囲温度が３０℃であり、電圧検出部９で検出された放電後の電池電圧がｖ［Ｖ］とすると、ｖ×Ｖ（−１０）／Ｖ（３０）の式から最も条件の悪い−１０℃での値に補正し、その補正後の値（電池電圧）をしきい値と比較して制御部７により異常の有無を判断する。
【０１１９】
このように点検時と実際の停電時との周囲温度の違いを考慮して２次電池１の異常を検出することで点検の精度が向上できる。
【０１２０】
【発明の効果】
請求項１の発明は、光源となるランプと、ランプに電力供給する２次電池と、外部の常用電源から電力供給を受けて２次電池を充電する充電手段と、少なくとも常用電源が停電したときに２次電池からの電力供給でランプを点灯させる点灯手段と、点灯手段により所定の点検時間以上強制的にランプを点灯させて２次電池の点検を行う点検手段と、少なくとも２次電池の充電状態を含む１乃至複数の動作状態を常時監視する監視手段と、点検手段による点検結果と監視手段による監視結果を総合的に判断して２次電池並びにランプの異常を検出する異常検出手段とを備えたことを特徴とし、従来のように点検手段による点検結果のみならず、監視手段による監視結果と合わせて総合的に判断しているから、２次電池の点検精度の向上が図れる。
【０１２１】
請求項２の発明は、請求項１の発明において、点検手段は、ランプの点灯を検出する点灯検出部と、２次電池の電圧を検出する電圧検出部とを有し、監視手段は、充電手段による２次電池の充電の有無を検出する充電検出部を有することを特徴とし、点検時に２次電池の放電によってランプが点灯していることを確認することで２次電池の異常を高い精度で検出することができる。
【０１２２】
請求項３の発明は、請求項２の発明において、常用電源からの電力供給でランプを点灯させる常用点灯手段を備え、監視手段は、常用点灯手段によるランプの点灯・不点灯を検出する点灯検出部を有することを特徴とし、点灯監視部の監視結果からランプの異常を早期に検出することができる。
【０１２３】
請求項４の発明は、請求項１の発明において、常用電源が停電後に復電してからの経過時間をカウントする時間カウント手段を備え、点検手段は、時間カウント手段によってカウントされる経過時間が所定時間に達するまでは点検を開始しないことを特徴とし、停電時に放電された２次電池が復電後に満充電されるまでは点検が開始されないから、満充電されていない状態で２次電池の点検が行われるのを防ぐことができる。
【０１２４】
請求項５の発明は、請求項１の発明において、点検手段は、点検時間が互いに異なる複数の点検モードを有し、異常検出手段は、点検時間が相対的に長い点検モードの点検結果を点検時間が相対的に短い点検モードの点検結果よりも優先することを特徴とし、２次電池の点検精度をさらに向上できる。
【０１２５】
請求項６の発明は、請求項１の発明において、少なくとも、定期的に行う定期点検モードの他に施工直後の初期に行う初期点検モード又は定期点検モードよりも点検時間が短く且つ頻度の高い予備定期点検モードの少なくとも何れか一方を点検手段が有するか、あるいは２次電池の累積充電時間、点灯手段の累積動作時間、充電手段の累積動作時間、ランプの累積点灯時間のうちの少なくとも何れかを監視手段が監視することを特徴とし、２次電池の点検精度をさらに向上できるとともに２次電池以外のランプ、充電手段、点灯手段などの異常検知も可能となる。
【０１２６】
請求項７の発明は、請求項１の発明において、点検手段は、点検の際に２次電池の電池電圧がメモリ効果を生じない程度に低下するまで放電させることを特徴とし、いわゆるメモリ効果が生じて本来正常である２次電池が異常と誤検出されうのを防ぐことができる。
【０１２７】
請求項８の発明は、請求項６の発明において、異常検出手段は、点検手段による点検時間の短い点検モード又は予備定期点検モードにおいて充電時と放電時の電圧降下率が所定のしきい値以上であるときを２次電池の異常とすることを特徴とし、電圧降下率が２次電池の内部抵抗に比例することから、電圧降下率をしきい値と比較することで２次電池の異常（寿命）を検出することができる。
【０１２８】
請求項９の発明は、請求項８の発明において、点検手段は２次電池の電圧を検出する電圧検出部を有し、監視手段は充電手段による２次電池の充電の有無を検出する充電検出部を有し、異常検出手段は電圧検出部により検出される電池電圧と充電検出部で検出される充電の有無とから２次電池が交換されたか否かを判断し、２次電池が交換されたと判断した場合には少なくとも２次電池に関するそれまでの点検結果並びに監視結果を初期化することを特徴とし、交換前の点検結果や監視結果によって交換後の２次電池の異常が誤検出されるのを防ぐことができる。
【０１２９】
請求項１０の発明は、請求項１の発明において、異常検出手段は、２次電池の周囲温度を検出する温度検出部を有し、温度検出部で検出する周囲温度に応じて２次電池の放電特性を補正し、最も温度条件が悪い場合を想定して２次電池の異常を検出することを特徴とし、点検時と実際の停電時との周囲温度の違いを考慮して２次電池の異常を検出することができる。
【０１３０】
請求項１１の発明は、請求項１の発明において、２次電池は互いに並列接続される複数の電池セルからなり、点検手段は、点検時に各電池セルを個別に点灯手段と接続して放電させることを特徴とし、２次電池を複数の電池セル毎に点検できるから、点検中あるいは点検後の充電中に常用電源が停電した場合でも必要な点灯時間が確保できずに安全上の問題が生じるリスクを小さくできる。
【０１３１】
請求項１２の発明は、請求項１〜１１の何れかに記載された複数の照明装置と、各照明装置との間でデータの授受を行う制御装置とを備え、制御装置は、照明装置の点検結果又は監視結果のデータを取得して保存し、保存した点検結果又は監視結果の履歴に基づいて照明装置における異常の有無を判断する判断手段を具備したことを特徴とし、１回の点検結果又は監視結果だけでなく、過去数回分の結果を含めて総合的に異常の有無を判断することによって、異常検出の精度が向上する。
【０１３２】
請求項１３の発明は、請求項１〜１１の何れかに記載された複数の照明装置と、各照明装置との間でデータの授受を行う制御装置と、制御装置との間でデータの授受を行う管理センタとを備え、ランプや２次電池を含む構成部品の交換に関する情報を記憶する記憶手段を各照明装置に具備し、制御装置又は制御装置を経由した管理センタにて照明装置の記憶手段に記憶した前記情報を取得することを特徴とし、管理センタにおいて照明装置の構成部品の交換に関する情報を取得することで異常が検出された照明装置に必要な交換部品を予め用意することができてメンテナンス作業の省力化が図れる。
【０１３３】
請求項１４の発明は、請求項１〜１１の何れかに記載された複数の照明装置と、各照明装置との間でデータの授受を行う制御装置とを備え、制御装置との間で通信するための通信手段を各照明装置に具備するとともに、常用電源の停電時には２次電池から通信手段への電力供給を行わないことを特徴とし、非常時における電力消費を抑えることでランプを必要な時間だけ確実に点灯させることができる。
【０１３４】
請求項１５の発明は、光源となるランプ、ランプに電力供給する２次電池、外部の常用電源から電力供給を受けて２次電池を充電する充電手段、少なくとも常用電源が停電したときに２次電池からの電力供給でランプを点灯させる点灯手段、点灯手段により所定の点検時間以上強制的にランプを点灯させて２次電池の点検を行う点検手段、少なくとも２次電池の充電状態を含む１乃至複数の動作状態を常時監視する監視手段、点検結果や監視結果を含むデータを信号線を介して授受する通信手段を具備する１乃至複数の照明装置と、各照明装置と信号線を介して接続される制御装置とを備え、制御装置は、信号線を介して各照明装置から受信する点検結果と監視結果を総合的に判断して２次電池並びにランプの異常を検出する異常検出手段を具備することを特徴とし、１乃至複数の照明装置における２次電池やランプの異常を制御装置で一括して検出することができるから異常検出の精度向上と点検作業の省力化が図れる。
【図面の簡単な説明】
【図１】実施形態１の照明装置を示すブロック図である。
【図２】同上における定期点検の動作説明用のフローチャートである。
【図３】同上における定期点検時の動作を説明するための説明図である。
【図４】同上における常時監視の動作説明用のフローチャートである。
【図５】実施形態２における定期点検の動作説明用のフローチャートである。
【図６】実施形態３における定期点検の動作説明用のフローチャートである。
【図７】実施形態４における点検の動作説明用のフローチャートである。
【図８】実施形態５の照明装置を示す要部の概略回路構成図である。
【図９】同上の他の構成を示す要部の概略回路構成図である。
【図１０】同上のさらに他の構成を示す要部の概略回路構成図である。
【図１１】実施形態６の動作説明用のフローチャートである。
【図１２】同上における充電検出部の回路構成図である。
【図１３】実施形態７の照明システムを示すシステム構成図である。
【図１４】同上における照明装置を示すブロック図である。
【図１５】実施形態８の照明装置を示すブロック図である。
【図１６】実施形態９の照明装置を示すブロック図である。
【図１７】実施形態１０の照明システムを示すシステム構成図である。
【図１８】実施形態１１の照明装置を示すブロック図である。
【図１９】同上の他の構成の照明装置を示すブロック図である。
【図２０】実施形態１２の照明システムを示すシステム構成図である。
【図２１】同上におけるフロアモニタの外観図である。
【図２２】実施形態１３の動作説明図である。
【図２３】実施形態１４の照明装置の動作説明用のフローチャートである。
【図２４】同上の動作説明図である。
【図２５】実施形態１５の照明装置の動作説明用のフローチャートである。
【図２６】実施形態１６の動作説明図である。
【図２７】同上の動作説明図である。
【図２８】同上の動作説明図である。
【図２９】同上の動作説明図である。
【符号の説明】
Ａ１　照明装置
１　２次電池
２　ランプ
５　充電部
６　点灯回路部
７　制御部
８　充電検出部
９　電圧検出部
１０　点灯検出部
１１　判断部
１２　記憶部
【図１】
2004119151.tif 000003
【図２】
2004119151.tif 000004
【図３】
2004119151.tif 000005
【図４】
2004119151.tif 000006
【図５】
2004119151.tif 000007
【図６】
2004119151.tif 000008
【図７】
2004119151.tif 000009
【図８】
2004119151.tif 000010
【図９】
2004119151.tif 000011
【図１０】
2004119151.tif 000012
【図１１】
2004119151.tif 000013
【図１２】
2004119151.tif 000014
【図１３】
2004119151.tif 000015
【図１４】
2004119151.tif 000016
【図１５】
2004119151.tif 000017
【図１６】
2004119151.tif 000018
【図１７】
2004119151.tif 000019
【図１８】
2004119151.tif 000020
【図１９】
2004119151.tif 000021
【図２０】
2004119151.tif 000022
【図２１】
2004119151.tif 000023
【図２２】
2004119151.tif 000024
【図２３】
2004119151.tif 000025
【図２４】
2004119151.tif 000026
【図２５】
2004119151.tif 000027
【図２６】
2004119151.tif 000028
【図２７】
2004119151.tif 000029
【図２８】
2004119151.tif 000030
【図２９】
2004119151.tif 000031